(57)【要約】【課題】簡潔な構成でメンテナンスが容易な湯水混合水栓装置を提供する。【解決手段】略円筒形の円筒空間７２と、該円筒空間７２に連通する第１流入孔７４ａ、第２流入孔７４ｂ、および流出孔７７ａとを有する本体１７と、前記円筒空間７２に収納されて回転により湯水混合比率を調整する略円筒形のピストン１８とを備え、前記ピストン１８は、内部に設けられた混合空間４４（４４ａ，４４ｂ）と、前記流出孔７７ａの対向位置に設けられて前記混合空間４４から前記流出孔７７ａを連通する連通穴６５と、円周面上で前記第２流入孔７４ｂの対向位置に設けられて円周方向に溝サイズが異なり前記第２流入孔７４ｂから前記混合空間４４を連通する溝孔４０ｂと、円周面上で前記第１流入孔７４ａの対向位置に設けられて円周方向に溝サイズが異なり前記第１流入孔７４ａから前記混合空間４４を連通する溝孔４０ａとを備えた。【選択図】図８
2009180369.tif 000002
【特許請求の範囲】
【請求項１】
略円筒形の収納空間と、該収納空間に連通する湯流入孔、水流入孔、および湯水混合流出孔とを有する本体と、
前記収納空間に収納されて回転により湯水混合比率を調整する略円筒形のピストンとを備え、
前記ピストンは、
内部に設けられた湯水混合空間と、
前記湯水混合流出孔の対向位置に設けられて前記湯水混合空間から前記湯水混合流出孔を連通する流出連通孔と、
円周面上で前記水流入孔の対向位置に設けられて円周方向に溝サイズが異なり前記水流入孔から前記湯水混合空間を連通する水量調節溝孔と、
円周面上で前記湯流入孔の対向位置に設けられて円周方向に溝サイズが異なり前記湯流入孔から前記湯水混合空間を連通する湯量調節溝孔とを備えた
湯水混合水栓装置。
【請求項２】
前記水量調節溝孔と前記湯量調節溝孔は、
前記ピストンの回転によって前記水量調節溝孔の孔部が水流入孔に接近したときに、前記湯量調節溝孔の孔部が湯流入孔から遠ざかり、逆に前記水量調節溝孔の孔部が水流入孔から遠ざかったときに、前記湯量調節溝孔の孔部が湯流入孔に接近し、中間状態で、前記水量調節溝孔の孔部から水流入孔までの距離と前記湯量調節溝孔の孔部から湯流入孔までの距離とが均等になる配置とした
請求項１記載の湯水混合水栓装置。
【請求項３】
前記ピストンの湯水混合空間内に、水の逆流を防止する水逆止弁と、湯の逆流を防止する湯逆止弁とを備えた
請求項１または２記載の湯水混合水栓装置。
【請求項４】
前記流出連通孔は、前記水量調節溝孔と前記湯量調節溝孔の間に配置され、
前記水逆止弁は、前記湯水混合空間内で前記水量調節溝孔と前記流出連通孔の間に配置され、
前記湯逆止弁は、前記湯水混合空間内で前記湯量調節溝孔と前記流出連通孔の間に配置された
請求項３記載の湯水混合水栓装置。
【請求項５】
前記本体は、
円筒形状である収納空間の一端面を開放可能な着脱蓋が設けられた
請求項１から４のいずれか１つに記載の湯水混合水栓装置。
【発明の詳細な説明】
【技術分野】
【０００１】
この発明は、例えば流入する湯と水の混合比率を調整して混合湯水を流出するような湯水混合水栓装置に関する。
【背景技術】
【０００２】
従来、水や湯を流出できる様々な水栓装置が提案されている。このような水栓装置は、細菌や異物の混入を防止するために逆止弁が設けられる。
【０００３】
このような逆止弁を備えたものとして、湯水混合水栓が提案されている（特許文献１参照）。この湯水混合水栓は、湯用および水用の供給管８，９に水栓本体５が接続され、水栓本体５内で湯水を混合し、この混合湯水を蛇口１８から放出するものである。供給管８，９から水栓本体５へ湯水を流入する導入流路１３，１４には、逆止弁１５が設けられている。
【０００４】
しかし、この湯水混合水栓は、メンテナンスしようとするとき、弁ユニット１７を取り外し、その下方に設けられているアタッチメント１６を取り外し、さらに下方に設けられている導入流路１３，１４内の逆止弁１５を取り外す必要が生じる。このため、上述した湯水混合水栓は、清掃等のメンテナンス時の分解が面倒なものである。
【０００５】
【特許文献１】特開平９−３１０７６８号公報
【発明の開示】
【発明が解決しようとする課題】
【０００６】
この発明は、上述の問題に鑑み、簡潔な構成でメンテナンスが容易な湯水混合水栓装置を提供することを目的とする。
【課題を解決するための手段】
【０００７】
この発明は、略円筒形の収納空間と、該収納空間に連通する湯流入孔、水流入孔、および湯水混合流出孔とを有する本体と、前記収納空間に収納されて回転により湯水混合比率を調整する略円筒形のピストンとを備え、前記ピストンは、内部に設けられた湯水混合空間と、前記湯水混合流出孔の対向位置に設けられて前記湯水混合空間から前記湯水混合流出孔を連通する流出連通孔と、円周面上で前記水流入孔の対向位置に設けられて円周方向に溝サイズが異なり前記水流入孔から前記湯水混合空間を連通する水量調節溝孔と、円周面上で前記湯流入孔の対向位置に設けられて円周方向に溝サイズが異なり前記湯流入孔から前記湯水混合空間を連通する湯量調節溝孔とを備えた湯水混合水栓装置であることを特徴とする。
【０００８】
前記水量調節溝孔および湯量調節溝孔の円周方向に溝サイズが異なる形状は、溝深さが円周方向へ連続的または断続的に異なる、溝幅が円周方向へ連続的または断続的に異なる、あるいは溝深さと溝幅が円周方向へ連続的または断続的に異なる形状とすることができる。  
この発明により、簡潔な構成でメンテナンスが容易な湯水混合水栓装置を提供することができる。
【０００９】
この発明の態様として、前記水量調節溝孔と前記湯量調節溝孔は、前記ピストンの回転によって前記水量調節溝孔の孔部が水流入孔に接近したときに、前記湯量調節溝孔の孔部が湯流入孔から遠ざかり、逆に前記水量調節溝孔の孔部が水流入孔から遠ざかったときに、前記湯量調節溝孔の孔部が湯流入孔に接近し、中間状態で、前記水量調節溝孔の孔部から水流入孔までの距離と前記湯量調節溝孔の孔部から湯流入孔までの距離とが均等になる配置とすることができる。  
これにより、水と湯の混合比率をバランスよく調節することが可能になり、利便性の高い湯水混合水栓装置を提供することができる。
【００１０】
またこの発明の態様として、前記ピストンの湯水混合空間内に、水の逆流を防止する水逆止弁と、湯の逆流を防止する湯逆止弁とを備えることができる。  
これにより、水や湯が逆流することを防止できる。また、ピストンの湯水混合空間内に水逆止弁と湯逆止弁を備えたため、ピストンのメンテナンスをする際に水逆止弁と湯逆止弁を一緒にメンテナンスすることができる。
【００１１】
またこの発明の態様として、前記流出連通孔は、前記水量調節溝孔と前記湯量調節溝孔の間に配置され、前記水逆止弁は、前記湯水混合空間内で前記水量調節溝孔と前記流出連通孔の間に配置され、前記湯逆止弁は、前記湯水混合空間内で前記湯量調節溝孔と前記流出連通孔の間に配置された構成とすることができる。
【００１２】
これにより、水側の逆流防止と湯側の逆流防止をいずれも効果的に実現することができる。つまり、水逆止弁は、水側の逆流防止にのみ働き、湯側の流入や流入停止に関係なく動作する。同様に、湯逆止弁は、湯側の逆流防止にのみ働き、水側の流入や流入停止に関係なく動作する。従って、確実性の高い逆流防止を簡潔な構成で実現できる。
【００１３】
またこの発明の態様として、前記本体は、円筒形状である収納空間の一端面を開放可能な着脱蓋が設けられることができる。  
これにより、着脱蓋を取り外せば、ピストンを抜き取って簡単にメンテナンスすることができる。また、水逆止弁および湯逆止弁についても、ピストンを抜き取るだけでメンテナンスすることができる。
【発明の効果】
【００１４】
この発明により、簡潔な構成でメンテナンスが容易な湯水混合水栓装置を提供することができる。
【発明を実施するための最良の形態】
【００１５】
この発明の一実施形態を以下図面と共に説明する。  
図１は、一般地仕様（寒冷地仕様ではない）の湯水混合水栓柱１の斜視図を示す。湯水混合水栓柱１は、略四角柱形状の外筒２と、この外筒２内に並行に配管された湯供給管８ａおよび水供給管８ｂと、この湯供給管８ａおよび水供給管８ｂに接続されたミキシングバルブ１０と、このミキシングバルブ１０に接続された吐水口４とで主に構成される。
【００１６】
ミキシングバルブ１０の下部には、湯供給管８ａの上端と水供給管８ｂの上端がそれぞれ接続されている。また、ミキシングバルブ１０の右側部には、湯水混合比率を調節するためのハンドル５が接続されている。ミキシングバルブ１０の正面には、吐水口４が接続されている。この吐水口４の上部には、水量調節ハンドル３が設けられている。この水量調節ハンドルを回転させることにより、水（冷水）、湯（熱水）、または混合水を吐水口４から流出させ、または止水することができる。
【００１７】
図２はミキシングバルブ１０の分解斜視図を示し、図３はミキシングバルブ１０の分解正面断面図を示し、図４は組み立てられたミキシングバルブ１０の正面断面図を示し、図５はミキシングバルブ１０の正面図を示し、図６はミキシングバルブ１０の左側面図を示す。
【００１８】
ミキシングバルブ１０は、図４に示すように、略円筒形の本体１７と、該本体１７の左端を塞ぐ閉塞カバー８０と、本体１７の右端を塞ぐ着脱カバー１１と、本体１７内に収納されるピストン１８によって主に構成されている。
【００１９】
着脱カバー１１は、開放面を左に向けたコップ状に形成され、内面に雌ネジ溝１２が形成されている。コップ状の底部にあたる右側面中央には、軸支孔１３が形成されている。また、コップ状の周囲にあたる外形面は、断面略六角形（図２参照）に形成されている。
【００２０】
本体１７は、延長シリンダ２０と本体シリンダ７０により主に構成されている。  
延長シリンダ２０は、略円筒形に形成され、図３に示すように内面２４が円筒形に形成されて円筒空間２５が設けられている。この延長シリンダ２０は、円筒空間２５の両端が開放されており、右端の外周に雄ネジ溝２２が形成されている。この雄ネジ溝２２は、着脱カバー１１の雌ネジ溝１２と螺合する。これにより、延長シリンダ２０の右端の開口部２８は、着脱カバー１１で塞がれる。延長シリンダ２０の左側の開口部２９の内周には、雌ネジ溝２３が形成されている。
【００２１】
本体シリンダ７０は、略円筒形に形成され、内側に形成された円筒空間７２の両端が開放されている。本体シリンダ７０の右端の開口部７８の外周には、雄ネジ溝７１が形成されている。この雄ネジ溝７１は、延長シリンダ２０の雌ネジ溝２３と螺合する。これにより、本体シリンダ７０と延長シリンダ２０が一体化して本体１７が形成される。本体シリンダ７０の左端の開口部７９の内周には、雌ネジ溝７３が形成されている。
【００２２】
本体シリンダ７０の下面には、第１流入孔７４ａと第２流入孔７４ｂが互いに離間して形成されている。この第１流入孔７４ａと第２流入孔７４ｂは、円筒空間７２の円周面に配置され、円筒空間７２の軸方向の異なる位置に配置されている。
【００２３】
本体シリンダ７０の正面には、流出孔７７ａ（図２参照）を有する出水ブッシュ７７（図２参照）が形成されている。この出水ブッシュ７７は、吐水口４（図１参照）に接続されており、円筒空間２５に連通する流出孔７７ａから吐水口４へ混合湯水を出水する。
【００２４】
第１流入孔７４ａには、第１給水ブッシュ７５ａが螺合されている。この第１給水ブッシュ７５ａは、図１に示した湯供給管８ａの先端に設けられているものであり、湯供給管８ａからの供給される湯を第１給水ブッシュ７５ａ内の孔７６ａを通じて本体シリンダ７０内の円筒空間７２に供給する。
【００２５】
第２流入孔７４ｂには、第２給水ブッシュ７５ｂが螺合されている。この第２給水ブッシュ７５ｂは、図１に示した水供給管８ｂの先端に設けられているものであり、水供給管８ｂからの供給される水を第２給水ブッシュ７５ｂ内の孔７６ｂを通じて本体シリンダ７０内の円筒空間７２に供給する。
【００２６】
ピストン１８は、第１ピストン３０と第２ピストン６０が連結一体化されて構成されており、略円筒形の外形を有して本体１７の円筒空間２５に収納される。このピストン１８には、弾力性のある樹脂で形成されＯリングパッキンＲが外周に複数取り付けられている。これにより、ピストン１８は、本体１７の円筒空間２５内に密着して水漏れ防止できると共に、本体１７に対してガタツキ無く自由に抜き差しおよび回転できる。
【００２７】
第１ピストン３０は、大径円筒部３５の右側に中径円筒部３３が設けられ、さらに右側に軸部３１が設けられている。また、大径円筒部３５の左側には、連結用円筒凸部３７が設けられている。これらの大径円筒部３５、中径円筒部３３、軸部３１、および連結用円筒凸部３７は、いずれも軸心が同一となるように形成されている。
【００２８】
大径円筒部３５には、溝孔４０ｂが形成されている。この溝孔４０ｂは、円筒面の一部が、断面三日月形の凹形状に形成された溝部４１ｂと、溝部４１ｂの最も凹となっている部分（溝が深い部分）に設けられた孔部４２ｂとで構成されている。溝部４１ｂは、大径円筒部３５の外周の半分より少し広い範囲、つまり１８０度よりも少し広い範囲に形成されている。孔部４２ｂは、大径円筒部３５内に形成されている円筒形状の混合空間４４ｂ（図３参照）に連通している。
【００２９】
大径円筒部３５の溝孔４０ｂの両横には、ＯリングパッキンＲが設けられている。詳述すると、溝孔４０ｂの左側には１つのＯリングパッキンＲが設けられ、溝孔４０ｂの右側には２つのＯリングパッキンＲが設けられている。
【００３０】
大径円筒部３５の右端付近には、回転係止突起３６（図３参照）が形成されている。この回転係止突起３６は、本体１７の円筒空間２５内に形成された図示省略する係合部に係合して、ピストン１８が回転する角度を１８０度に調整している。これにより、ほぼ１００％水を出す状態から水と湯の混合状態を経てほぼ１００％湯を出す状態までの範囲でピストン１８を回転可能にしている。
【００３１】
中径円筒部３３は、大径円筒部３５より半径小で軸部３１より半径大に形成され、軸部３１に繋がる部分に係止端面３２が形成されている。  
軸部３１は、着脱カバー１１の軸支孔１３よりもわずかに小さい大きさに形成され、着脱カバー１１の軸支孔１３に挿通される。これにより、軸部３１が着脱カバー１１の軸支孔１３に軸支され、中径円筒部３３の係止端面３２が着脱カバー１１の内面に接触して、ピストン１８が安定して回転するように支持される。
【００３２】
連結用円筒凸部３７の外周には、ネジ孔３８が形成されている。  
大径円筒部３５の内部には、円筒形の混合空間４４ｂ（図３参照）が形成されている。この混合空間４４ｂの右側には、段差部３９（図３参照）が形成されている。この混合空間４４ｂから段差部３９を通じて孔部４２ｂまでは、連通されている。段差部３９は、混合空間４４ｂに左から挿入される逆止弁５０ｂを位置決めする。
【００３３】
第２ピストン６０は、第１ピストン３０の大径円筒部３５と同径の円筒形の外形を有し、右側に第１ピストン３０の連結用円筒凸部３７と連結する連結枠部６１が設けられている。この連結枠部６１の内部空間６３は、内径が連結用円筒凸部３７とほぼ同じか僅かに大きいサイズに形成されている。連結枠部６１の上部には、ネジ孔６２が形成されている。このネジ孔６２に芋ネジＮが螺入され、この芋ネジＮが第１ピストン３０の連結用円筒凸部３７に設けられたネジ孔６２に螺入されることで、第１ピストン３０と第２ピストン６０が一体化してピストン１８となる。
【００３４】
連結枠部６１の左側には、混合流出溝６４が全周に設けられ、この混合流出溝６４の底部に複数の連通穴６５が形成されている。この混合流出溝６４は、第２ピストン６０が本体シリンダ７０の円筒空間７２に収納された状態のとき、本体シリンダ７０の流出孔７７ａに対向する（図４参照）。これにより、ピストン１８の混合空間４４（４４ａ，４４ｂ）内で湯水混合された混合水が、連通穴６５から混合流出溝６４に流出し、この混合流出溝６４から本体シリンダ７０の流出孔７７ａを通じて吐水口４（図１参照）に流出する。
【００３５】
混合流出溝６４の左側には、ＯリングパッキンＲが２つ設けられている。さらに、ＯリングパッキンＲの左側には、溝孔４０ａが形成されている。この溝孔４０ａは、円筒面の一部が、断面三日月形の凹形状に形成された溝部４１ａと、溝部４１ａの最も凹となっている部分（溝が深い部分）に設けられた孔部４２ａとで構成されている。溝部４１ａは、第２ピストン６０の外周の半分より少し広い範囲、つまり１８０度よりも少し広い範囲に形成されている。孔部４２ａは、第２ピストン６０内に形成されている円筒形状の混合空間４４ａ（図３参照）に連通している。
【００３６】
また、この溝孔４０ａは、第１ピストン３０に設けられた溝孔４０ｂと１８０度逆向きに設けられている。したがって、溝孔４０ａと溝孔４０ｂは、混合空間４４ａにおける連通穴６５の穿孔部分の中心を対称の中心として点対称となるように配置されている。これにより、並行配置された第１給水ブッシュ７５ａと第２給水ブッシュ７５ｂに対して、溝孔４０ａが正面対向しているときに溝孔４０ｂが正反対側に位置し、逆に溝孔４０ｂが正面対向しているときに溝孔４０ａが正反対側に位置する。
【００３７】
第２ピストン６０の混合空間４４ａは、円筒形状に形成されており、左側の溝孔４０ａ手前に段差部６７が形成されている。この段差部６７は、混合空間４４ａに右から挿入される逆止弁５０ａを位置決めする。
【００３８】
また、混合空間４４ａには、逆止弁５０ａに続いてスペーサ５８が収納される。この状態で第１ピストン３０と第２ピストン６０が連結固定されることで、混合空間４４ａ内の逆止弁５０ａとスペーサ５８、および混合空間４４ｂ内の逆止弁５０ｂの配置が正しく保持され、逆止弁５０ａ，５０ｂが位置ずれ等することを防止している。
【００３９】
逆止弁５０（５０ａ，５０ｂ）は、円筒形のケーシング５１（５１ａ，５１ｂ）内に、画鋲状の開閉弁５３（５３ａ，５３ｂ）が配置されている。ケーシング５１は、一端側に内向きの凸部を設けた流入口５２（５２ａ，５２ｂ）が設けられ、他端側に開閉弁５３を支持する支持枠５５（５５ａ，５５ｂ）が設けられている。この支持枠５５の周りには、流出口５４（５４ａ、５４ｂ）が設けられている。ケーシング５１の流入口５２側の外周面には、ＯリングパッキンＲが設けられている。
【００４０】
開閉弁５３は、ＯリングパッキンＲ（図４参照）が装着されている頭部が、流入口５２を塞ぐようにバネＢで付勢されている。流入口５２から水圧がかかると、バネＢの付勢力に逆らって開閉弁５３が流出口５４側へ押され、水（または湯）が流れる状態になる。
【００４１】
このように構成された逆止弁５０ａは、流入口５２ａを溝孔４０ａに向けて混合空間４４ａ内に収納され、逆止弁５０ｂは、流入口５２ｂを溝孔４０ｂに向けて混合空間４４ｂ内に収納される。
【００４２】
閉塞カバー８０は、本体シリンダ７０の雌ネジ溝７３に螺入される雄ネジ溝８１が右側に形成されている。雄ネジ溝８１の左側には、ＯリングパッキンＲが設けられ、さらに左側には、外形が一回り大きい六角部８３が設けられている。この閉塞カバー８０は、内部が詰まって隙間のないように構成されており、本体シリンダ７０の左側を完全に閉塞する。
【００４３】
図７（Ａ１）〜（Ａ３）は、図５におけるＡ−Ａ断面図を示し、図７（Ｂ１）〜（Ｂ３）は、図５におけるＢ−Ｂ断面図を示し、図８および図９は、ミキシングバルブ１０の正面断面図を示す。
【００４４】
上述した構成のミキシングバルブ１０は、湯供給管８ａから供給される湯と水供給管８ｂから供給される水を任意の割合に混合して排出することができる。  
詳述すると、ハンドル５（図１参照）が湯側に最大限回されているとき、図７（Ａ１）に示すように、ピストン１８の孔部４２ａは、孔７６ａに正面対向し、湯が多量に流入する状態となる。また、図７（Ｂ１）に示すように、ピストン１８の孔部４２ｂは、孔７６ｂから最も遠ざかった位置となり、孔７６ｂがピストン１８の外周面で塞がれ、水が流入しない状態となる。従って、図８（Ｃ１）に示すように、混合流出溝６４から吐水口４（図１参照）へほぼ１００％の湯（最大限熱い熱水）が流出する。
【００４５】
ハンドル５（図１参照）が中間状態（この例では９０度回転状態）まで回転されると、図７（Ａ２）に示すように、ピストン１８の孔部４２ａは、孔７６ａから遠ざかるが、ピストン１８の溝部４１ａの端部が孔７６ａに対向して、湯がある程度流入する状態となる。また、図７（Ｂ２）に示すように、ピストン１８の孔部４２ｂは、孔７６ｂからある程度遠ざかった位置となるが、溝部４１ｂが孔７６ｂに対応して、水がある程度流入する状態となる。従って、図８（Ｃ２）に示すように、混合流出溝６４から吐水口４（図１参照）へ湯と水が５０％ずつ混合した混合水が流出する。
【００４６】
ハンドル５（図１参照）が水側に最大限回されると、図７（Ａ３）に示すように、図７（Ｂ１）に示すように、ピストン１８の孔部４２ａは、孔７６ａから最も遠ざかった位置となり、孔７６ａがピストン１８の外周面で塞がれ、湯が流入しない状態となる。また、ピストン１８の孔部４２ｂは、孔７６ｂに正面対向し、水が多量に流入する状態となる。従って、図９（Ｃ３）に示すように、混合流出溝６４から吐水口４（図１参照）へほぼ１００％の水（最大限冷たい冷水）が流出する。
【００４７】
このようにほぼ１００％水が出る状態、水と湯が５０％ずつ混合されて出る状態、およびほぼ１００％湯が出る状態の間では、水と湯の混合比率が連続的に変化する。つまり、溝孔４０ａ，４０ｂの溝部４１ａ，４１ｂが連続的に深さの変化する断面三日月状に形成されているため、回転によって流入量が連続的に変化する。これにより、利用者は、ハンドル５を回転する回転角度によって、任意の温度の混合水を吐水口４から流出させることができる。
【００４８】
このように構成されたミキシングバルブ１０をメンテナンスするときは、着脱カバー１１を回して取り外し、ピストン１８を抜き取れば良い。これにより、抜き取ったピストン１８を容易に分解でき、逆止弁５０ａ，５０ｂも含めて清掃等のメンテナンスを行うことができる。また、ＯリングパッキンＲや逆止弁５０ａ，５０ｂが劣化していれば、これを新品に交換することを容易に実行できる。
【００４９】
このように、非常に利便性の高いミキシングバルブ１０および湯水混合水栓柱１を提供できる。つまり、逆止弁５０ａ，５０ｂは、湯供給管８ａ、水供給管８ｂ内に湯や水が逆流することを防止して雑菌等の混入を防止するものであるから、通常であれば湯供給管８ａ、水供給管８ｂ内に設けられる。しかし、湯供給管８ａ、水供給管８ｂ内に逆止弁５０ａ，５０ｂを設けると、メンテナンスの際に、ミキシングバルブ１０を抜き取った上で、さらに分解して湯供給管８ａ、水供給管８ｂ内から逆止弁５０ａ，５０ｂを取り出す必要が生じる。これに対し、上述したようにミキシングバルブ１０に設けられたピストン１８の混合空間４４内に逆止弁５０ａ，５０ｂを配置したため、ピストン１８を抜き取るだけで逆止弁５０ａ，５０ｂも含めて容易にメンテナンスできる。
【００５０】
また、ピストン１８に逆止弁５０ａ，５０ｂの収納空間となる混合空間４４ａ，４４ｂが設けられており、閉塞カバー８０が着脱可能に形成されているため、寒冷地仕様と一般地仕様を簡単に切り替えることができる。
【００５１】
詳述すると、寒冷地仕様とする場合は、図９（Ｃ４）に示すように、逆止弁５０ａ，５０ｂを取り外し、閉塞カバー８０に逆止弁５０ｃを備えればよい。この場合、閉塞カバー８０の内側は、左側に連通孔８４が設けられ、右側に逆止弁収納空間８５が設けられている。逆止弁収納空間８５には、逆止弁５０ｃが、流入口５２ｃを左側（外側）へ向けて収納、密着される。
【００５２】
この寒冷地仕様の場合、図示省略する止水ユニットを設けると良い。そして、この止水ユニットにより、図１に示した湯供給管８ａおよび水供給管８ｂが地面付近の根元部で止水され、この根元部で湯供給管８ａおよび水供給管８ｂの水抜き弁が開放されると、逆止弁５０ｃは、図９（Ｃ４）に示すように、空気の通過を許容する。この逆止弁５０ｃの空気の通過は、湯供給管８ａおよび水供給管８ｂ内の水や湯が重力によって下方へ下がって水抜き弁から流出しようとし、その力によって逆止弁５０ｃの開閉弁５３ｃがバネＢに逆らって開状態となり、空気が混合空間４４内に流入することで実現する。
【００５３】
このような構成とすることで、湯供給管８ａおよび水供給管８ｂ内の水や湯を水抜きすることができ、寒冷地などで水や湯が凍結することを防止できる。  
また寒冷地仕様においても、ピストン１８を側方から抜き取るだけでメンテナンスでき、一般地仕様と同様のメンテナンス容易性を得ることができる。
【００５４】
また、この寒冷地仕様の場合、ピストン１８を抜き取った状態の本体１７の円筒空間２５，７２内に開口部２８側から適宜の棒を挿入して逆止弁５０ｃを内側から押せば、逆止弁５０ｃを閉塞カバー８０の外へ押し出して分離することができる。これにより、逆止弁５０ｃも清掃等のメンテナンスを容易に行うことができ、劣化していれば逆止弁５０ｃを新品に交換することができる。
【００５５】
このように、湯水混合水栓柱１は、ピストン１８や本体１７の構成を変えることなく、一般地仕様と寒冷地仕様に対応することができるため、規格統一化による製造コストの削減を図ることができる。
【００５６】
なお、上述した実施形態では、湯供給管８ａおよび水供給管８ｂを並行配置し、溝孔４０ａ，４０ｂを１８０度逆に配置したが、これに限らず様々な配置が可能である。例えば、湯供給管８ａおよび水供給管８ｂを本体１７の上下に配置して１８０度逆の関係とし、溝孔４０ａ，４０ｂを並行に配置してもよい。このように構成しても、上述した実施形態と同様の湯水混合性能およびメンテナンス容易性を得ることができる。
【００５７】
また、一般地仕様の湯水混合水栓柱１を製造する場合、本体シリンダ７０を、図３に示した開口部７９が塞がれた形状に形成して閉塞カバー８０を省略してもよい。これにより、一般地仕様専用の湯水混合水栓柱１を製造する際のコストを削減することができる。
【００５８】
また、本体シリンダ７０における第１流入孔７４ａおよび第２流入孔７４ｂと、ピストン１８における溝孔４０ａ，４０ｂ周辺の接触部分は、特にパッキンを設けていないが、ここにパッキンを設ける構成にしてもよい。これにより、ハンドル５が１００％の湯または水にセットされた際に、第１流入孔７４ａまたは第２流入孔７４と溝孔４０ａ，４０ｂ周辺の隙間から僅かに水または湯が漏れ入って混合することを防止でき、１００％の湯や１００％の水を流出できる。
【００５９】
この発明の構成と、上述の実施形態との対応において、
この発明の湯水混合水栓装置は、実施形態の湯水混合水栓柱１に対応し、
以下同様に、
着脱蓋は、着脱カバー１１に対応し、
円周面は、ピストン１８の外周面に対応し、
湯量調節溝孔は、溝孔４０ａに対応し、
水量調節溝孔は、溝孔４０ｂに対応し、
湯水混合空間は、混合空間４４（４４ａ，４４ｂ）に対応し、
湯逆止弁は、逆止弁５０ａに対応し、
水逆止弁は、逆止弁５０ｂに対応し、
流出連通孔は、連通穴６５に対応し、
収納空間は、円筒空間７２に対応し、
湯流入孔は、第１流入孔７４ａに対応し、
水流入孔は、第２流入孔７４ｂに対応し、
湯水混合流出孔は、流出孔７７ａに対応するが、
この発明は、上述の実施形態の構成のみに限定されるものではなく、多くの実施の形態を得ることができる。
【図面の簡単な説明】
【００６０】
【図１】湯水混合水栓柱の斜視図。
【図２】ミキシングバルブの分解斜視図。
【図３】ミキシングバルブの分解正面断面図。
【図４】ミキシングバルブの正面断面図。
【図５】ミキシングバルブの正面図。
【図６】ミキシングバルブの左側面図。
【図７】Ａ−Ａ断面およびＢ−Ｂ断面によるミキシングバルブの動作説明図。
【図８】正面断面によるミキシングバルブの動作説明図。
【図９】正面断面によるミキシングバルブの動作説明図。
【符号の説明】
【００６１】
１…湯水混合水栓柱、１１…着脱カバー、１７…本体、１８…ピストン、４０ａ，４０ｂ…溝孔、４４ａ，４４ｂ…混合空間、５０ａ，５０ｂ…逆止弁、６５…連通穴、７２…円筒空間、７４ａ…第１流入孔、７４ｂ…第２流入孔、７７ａ…流出孔
【図１】
2009180369.tif 000003
【図２】
2009180369.tif 000004
【図３】
2009180369.tif 000005
【図４】
2009180369.tif 000006
【図５】
2009180369.tif 000007
【図６】
2009180369.tif 000008
【図７】
2009180369.tif 000009
【図８】
2009180369.tif 000010
【図９】
2009180369.tif 000011